(57)【特許請求の範囲】
【請求項１】
収納ユニット（２）の製造方法であって、移動式単テープ係止構造（1）は、単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記テープ（９）は、一体的に１つであり、
前記エレメント（７０）に、複数の歯部（８）を１つの前記テープ（９）の両端部の、歯設置部（５）に略平行に並んで２列に設け、
複数の前記スライダー（７１）を順番に前記２列の歯部（８）を挿入させることによって、前記２列の歯部（８）が、互いに対向して互い違いに係合して、着脱可能に一部または全部を係止させ、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、前記エレメント（７０）の２列の歯部（８）を挿通させてスライド可能に設け、
前記抜防止部（６）は、前記歯部（８）に跨いで設けられた、前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記テープ（９）の両端部に前記歯部（８）が並んで２列に設けられた前記エレメント（７０）と、複数の前記スライダー（７１）を１つの移動式単テープ係止構造（1）のセットとして構成させて、
可撓性を有するシート部材である可撓性シート部材（１０）に、前記移動式単テープ係止構造（1）を設け、
様々な設置アイテム（１８）を前記移動式単テープ係止構造（1）に備えられた前記スライダー（７１）単独ででも、保持可能とさせることを特徴とする収納ユニット（２）の製造方法。
【請求項２】
前記単テープファスナー（１７）が、エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）をテープ（９）の端部に並んで１列に設けて、一列歯テープ（４３）を構成し、２つの前記一列歯テープ（４３）を、前記歯部（８）にて対向させて、前記スライダー（７１）を複数、順番に、前記対向した歯部（８）に挿入させて、前記２つのエレメント（７０）の一部または全部の歯部（８）を係合させ、前記２つのテープ（９）を互いに係止して、前記単テープファスナー（１７）を構成し、前記一列歯テープ（４３）が、歯設置部（５）と反対側の端部側である無歯端部（４４）側にて互いに係止させることによって、前記一体的に１つの単テープファスナー（１７）としたことを特徴とした請求項１に記載の収納ユニット（２）の製造方法。
【請求項３】
収納ユニット（２）の製造方法であって、
移動式単テープ係止構造（1）は、単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）をテープ（９）の端部に並んで１列に設けて、一列歯テープ（４３）を構成し、前記一列歯テープ（４３）を２つ、前記歯部（８）にて対向させて、前記スライダー（７１）を複数、順番に、前記対向した歯部（８）に挿入させて、前記２つのエレメント（７０）の一部または全部の歯部（８）を係合させ、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
複数の前記スライダー（７１）は、前記抜防止部（６）を跨ぎ掛部（７）にて抜けないように、前記エレメント（７０）の２列の歯部（８）を挿通させてスライド可能に設け、
前記抜防止部（６）は、前記歯部（８）に跨いで設けられた、前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
一列歯テープ（４３）に備えられた２つのテープ（９）を、
可撓性を有するシート部材である可撓性シート部材（１０）に合わせてまとめて係止することによって、
前記２つのテープ（９）を互いに係止して、前記テープ（９）を一体的に１つとさせ、
前記可撓性シート部材（１０）に設けられた前記単テープファスナー（１７）を構成して、
様々な設置アイテム（１８）を前記移動式単テープ係止構造（1）に備えられた前記スライダー（７１）が単独にて保持可能とさせることを特徴とする収納ユニット（２）の製造方法。
【請求項４】
移動式単テープ係止構造（1）は、可撓性を有するシート部材である可撓性シート部材（１０）に設けられて使用可能な、移動式係止構造であって、
単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）がテープ（９）の両端部の、歯設置部（５）に略平行に並んで２列に設けられた構成であり、
前記２列の歯部（８）が、互いに対向して互い違いに係合して、着脱可能に一部または全部が係止され、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
複数の前記スライダー（７１）は、前記抜防止部（６）を跨ぎ掛部（７）にて抜けないように、
設けられて、前記エレメント（７０）の２列の歯部（８）を挿通させてスライド可能に設けられ、
前記抜防止部（６）は、前記歯部（８）に跨いで設けられた、前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記一本のテープ（９）の両端部に並んで前記歯部（８）が２列に設けられた前記エレメント（７０）と、複数の前記スライダー（７１）を１つのセットとして構成されて、前記２列の前記歯部（８）が対向して、互い違いに嵌め合うことによって、着脱可能であり、複数のスライダー（７１）を備えたことを特徴とする移動式単テープ係止構造（1）。
【請求項５】
前記テープ（９）が、２つのテープ（９）の長手方向にて互いに係止されて１つのテープ（９）を構成し、前記エレメント（７０）は、
前記２つのテープ（９）が互いにおいて係止されて１つのテープ（９）を構成する、係止されていない側の前記テープ（９）の両端部の歯設置部（５）に、
複数の歯部（８）が、略平行に並んで２列に設けられたことを特徴とする請求項４に記載の移動式単テープ係止構造（1）。
【請求項６】
前記単テープファスナー（１７）を構成する、二本の前記テープ（９）が、互いに着脱可能であることを特徴とする請求項５に記載の移動式単テープ係止構造（1）。
【請求項７】
前記移動式単テープ係止構造（1）の前記テープ（９）部に、着脱テープ係止部（６９）を備えたことを特徴とする請求項４から請求項６のいずれかに記載の歯状移動式係止構造（１）。
【請求項８】
可撓性を有するシート部材である可撓性シート部材（１０）は移動式単テープ係止構造（1）を備え、
前記移動式単テープ係止構造（1）は、
単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記テープ（９）は、一体的に１つであり、
前記エレメント（７０）は、複数の歯部（８）が１つの前記テープ（９）の両端部の、歯設置部（５）に略平行に並んで２列に設けられた構成であり、
前記２列の歯部（８）が、互いに対向して互い違いに係合して、着脱可能に一部または全部が係止され、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、前記エレメント（７０）の２列の歯部（８）を挿通させてスライド可能に設けられ、
前記抜防止部（６）は、前記歯部（８）に跨いで設けられた、前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記移動式単テープ係止構造（1）は、
前記テープ（９）の両端部に並んで前記歯部（８）が２列に設けられた前記エレメント（７０）と、複数の前記スライダー（７１）を１つのセットとして構成されて、
前記可撓性シート部材（１０）に、前記移動式単テープ係止構造（1）が前記テープ（９）とシート係止部（２０）にて係止して設けられ、
前記可撓性シート部材（１０）は、シート設置具（２９）を備え、
壁や吊設可能な支持材に設置可能に様々な設置アイテム（１８）が前記移動式単テープ係止構造（1）のスライダー（７１）単独にて保持可能であることを特徴とする収納ユニット（２）。
【請求項９】
前記テープ（９）と前記可撓性シート部材（１０）のシート係止部（２０）が、着脱可能であることを特徴とする請求項８に記載の収納ユニット（２）。
【請求項１０】
前記収納構造物（３０）が、ポケットまたは容器であることを特徴とする請求項９に記載の収納ユニット（２）。
【請求項１１】
前記、可撓性シート部材（１０）がカーテン（８９）であることを特徴とする請求項８から請求項１０のいずれかに記載の収納ユニット（２）。
【請求項１２】
前記設置アイテム（１８）が案内表示物（１２０）であることを特徴とする請求項８から請求項１０のいずれかに記載の収納ユニット（２）。
【発明の詳細な説明】
【技術分野】
【０００１】
本発明は、物の係止、保持、収納についての自由度の高い保持、係止構造の技術に関する。
【背景技術】
【０００２】
従来から、物の壁面への係止や保持、収納には、壁に吊り具をねじ止めや画鋲やリベット等で留めて、必要な係止具や保持具や収納具を設置するのが一般的である。
また、突っ張り棒などを利用して、壁際にそうした係止具や保持具を取り付けるという方法も存在する。
また、壁に係止具や保持具を備えたレールをネジ等で設置して、レール上で移動可能な保持具として、ちょっとした絵などを掲示する方法も存在する。
【０００３】
また、壁等への損傷を気にせず、自由な場所に係止や保持、収納できるような自由度の高い係止、保持構造は、本願発明者による特許文献３の構成が存在するが、更なる改善点もあり、より自由度が高く、容易で、コスト的にもメリットの高い移動式の係止構造が求められている。
【０００４】
また、看板等の案内表示物においても、木製や金属製といった平坦な表面に社名や広告等を表示する方法があり、また、壁等に係止具を設置してシート状の看板を設けるような方法も存在する。しかし、更に看板のサイズや数等の変更が容易で、自由度の高い案内表示が可能な係止構造技術が求められている。
【０００５】
このような現状に鑑み、本発明者以外にも従来から種々の技術が提案されている。
【０００６】
例えば、特許文献１には、発明の名称を「壁面取付具」とする技術が開示され、公知技術となっている（特許文献１参照）。
具体的には、パネル上部に取り付ける左右調整具と下部に取り付ける上下調整具とからなり、左右調整具は水平方向に突出するア−ムからなり、該ア−ムは前記保持部内部を左右方向に移動可能に挿通され先端部にパネルを引っ掛けるためのフックが設けられた構成からなる、パネルの取付具であるが、看板のサイズや数等の変更が容易で、自由度の高い案内表示が可能とする係止をするという課題を解決するものではない。
【０００７】
また、特許文献２には、発明の名称を「移動式係止構造」とする技術が本願発明者によって提案されており、特許取得済みである（特許文献３参照）。係る提案内容においては、スライダーを二つ一組で係止ペアとして、係止部材または保持部材とする構成であるが、係る構成だと、スライダーを二つ単位で必要であったり、コスト面や使用シーンがやや狭くなる等の課題が残るものである。
また、係る発明の提案者である本願発明者は、更により広く、深い応用、活用範囲、また、よりシンプルあるいは多彩な部材、構造、及び、より発展的な部材、構造、より低いコストと利便性について、その製造方法や構成を開発するといった課題も追及すべきといえる。
【先行技術文献】
【特許文献】
【０００８】
【特許文献１】特開２００５−９５５１７号
【特許文献２】特許第6343087号
【発明の概要】
【発明が解決しようとする課題】
【０００９】
係止、保持、収納位置、数量、サイズを自由に調整でき、壁への穴等の損傷や汚れを最小限にすることが可能な自由度の高い係止、保持、収納構造物を提供する。
【課題を解決するための手段】
【００１０】
本発明における、収納ユニット（２）の製造方法においては、移動式単テープ係止構造（1）は、単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記テープ（９）は、一体的に１つであり、
前記エレメント（７０）に、複数の歯部（８）を１つの前記テープ（９）の両端部の、歯設置部（５）に略平行に並んで２列に設け、
複数の前記スライダー（７１）を順番に前記２列の歯部（８）を挿入させることによって、前記２列の歯部（８）が、互いに対向して互い違いに係合して、着脱可能に一部または全部を係止させ、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、前記エレメント（７０）の２列の歯部（８）を挿通させてスライド可能に設け、
前記抜防止部（６）は、前記歯部（８）に跨いで設けられた、前記スライダー（７１）の抜け防止機能を備えた部分であり、
前記テープ（９）の両端部に並んで２列に設けられた前記エレメント（７０）と、複数の前記スライダー（７１）を１つの移動式単テープ係止構造（1）のセットとして構成させて、可撓性を有するシート部材である可撓性シート部材（１０）に、前記移動式単テープ係止構造（1）を設け、
様々な設置アイテム（１８）を前記移動式単テープ係止構造（1）に備えられた前記スライダー（７１）単独ででも、保持可能とさせる手段を採用する。
【００１１】
また、本発明は、前記単テープファスナー（１７）が、エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）をテープ（９）の端部に並んで１列に設けて、一列歯テープ（４３）を構成し、２つの前記一列歯テープ（４３）を、前記歯部（８）にて対向させて、前記スライダー（７１）を複数、順番に、前記対向した歯部（８）に挿入させて、前記２つのエレメント（７０）の一部または全部の歯部（８）を係合させ、前記２つのテープ（９）を互いに係止して、前記単テープファスナー（１７）を構成し、
前記一列歯テープ（４３）が、歯設置部（５）と反対側の端部側である無歯端部（４４）側にて互いに係止させることによって、前記一体的に１つの単テープファスナー（１７）とした手段を採用することもできる。
【００１２】
本発明における、収納ユニット（２）の製造方法においては、
移動式単テープ係止構造（1）は、単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）をテープ（９）の端部に並んで１列に設けて、一列歯テープ（４３）を構成し、前記一列歯テープ（４３）を２つ、前記歯部（８）にて対向させて、前記スライダー（７１）を複数、順番に、前記対向した歯部（８）に挿入させて、前記２つのエレメント（７０）の一部または全部の歯部（８）を係合させ、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、前記エレメント（７０）の２列の歯部（８）を挿通させてスライド可能に設け、
前記抜防止部（６）は、前記歯部（８）に跨いで設けられた、前記スライダー（７１）の抜け防止機能を備えた部分であり、
一列歯テープ（４３）に備えられた２つのテープ（９）を、
可撓性を有するシート部材である可撓性シート部材（１０）に合わせてまとめて係止することによって、
前記２つのテープ（９）を互いに係止して、前記テープ（９）を一体的に１つとさせ、
前記可撓性シート部材（１０）に設けられた前記単テープファスナー（１７）を構成して、
様々な設置アイテム（１８）を前記移動式単テープ係止構造（1）に備えられた前記スライダー（７１）が単独にて保持可能とさせる手段を採用することもできる。
【００１３】
また、本発明における移動式単テープ係止構造（1）は、可撓性を有するシート部材である可撓性シート部材（１０）に設けられて使用可能な、移動式係止構造であって、
単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記エレメント（７０）は、複数の歯部（８）がテープ（９）の両端部の、歯設置部（５）に略平行に並んで２列に設けられた構成であり、
前記２列の歯部（８）が、互いに対向して互い違いに係合して、着脱可能に一部または全部が係止され、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、
設けられて、前記エレメント（７０）の２列の歯部（８）を挿通させてスライド可能に設けられ、
前記抜防止部（６）は、前記歯部（８）に跨いで設けられた、前記スライダー（７１）の抜け防止機能を備えた部分であり、
前記一本のテープ（９）の両端部に並んで２列に設けられた前記エレメント（７０）と、複数の前記スライダー（７１）を１つのセットとして構成されて、前記２列のエレメント（７０）が対向して、互いの前記歯部（８）が互い違いに嵌め合うことによって、着脱可能であり、複数のスライダー（７１）を備えた構成を採用する。
【００１４】
また、本発明は、前記テープ（９）が、２つのテープ（９）の長手方向にて互いに係止されて１つのテープ（９）を構成し、前記エレメント（７０）は、前記２つのテープ（９）が互いにおいて係止されて１つのテープ（９）を構成する、係止されていない側の前記テープ（９）の両端部の歯設置部（５）に、複数の歯部（８）が、略平行に並んで２列に設けられた構成を採用することもできる。
【００１５】
また、本発明は、前記単テープファスナー（１７）を構成する、二本の前記テープ（９）が、互いに着脱可能である構成を採用することもできる。
【００１６】
また、本発明は、前記移動式単テープ係止構造（1）の前記テープ（９）部に、着脱テープ係止部（６９）を備えた構成を採用することもできる。
【００１７】
また、本発明における収納ユニットにおいては、
可撓性を有するシート部材である可撓性シート部材（１０）は移動式単テープ係止構造（1）を備え、
前記移動式単テープ係止構造（1）は、
単テープファスナー（１７）であり、前記単テープファスナー（１７）は、
エレメント（７０）とスライダー（７１）とテープ（９）からなるファスナーであり、前記エレメント（７０）は、スライダー（７１）が移動することによって、左右に分かれて着脱可能に分離または係合可能であり、
前記テープ（９）は、一体的に１つであり、
前記エレメント（７０）は、複数の歯部（８）が１つの前記テープ（９）の両端部の、歯設置部（５）に略平行に並んで２列に設けられた構成であり、
前記２列の歯部（８）が、互いに対向して互い違いに係合して、着脱可能に一部または全部が係止され、
前記歯部（８）は、抜防止部（６）を備え、
前記スライダー（７１）は、歯挿通穴（３９）を備え、前記歯挿通穴（３９）は、前記スライダー（７１）の１つの開口部と該１つの開口部から前記スライダー（７１）内で２つに分岐した２つの開口部を備え、
前記スライダー（７１）は、前記抜防止部（６）を跨ぎ掛部（７）にて抜けないように、前記エレメント（７０）の２列の歯部（８）を挿通させてスライド可能に設けられ、
前記抜防止部（６）は、前記歯部（８）に跨いで設けられた、前記スライダー（７１）の抜け防止機能を備えた部分であり、
前記テープ（９）の両端部に並んで２列に設けられた前記エレメント（７０）と、複数の前記スライダー（７１）を１つの移動式単テープ係止構造（1）のセットとして構成されて、
前記可撓性シート部材（１０）に、前記移動式単テープ係止構造（1）が前記テープ（９）とシート係止部（２０）にて係止して設けられ、
前記可撓性シート部材（１０）は、シート設置具（２９）を備え、
壁や吊設可能な支持材に設置可能に様々な設置アイテム（１８）が前記移動式単テープ係止構造（1）のスライダー（７１）単独にて保持可能である構成を採用する。
【００１８】
また、本発明は、前記テープ（９）と前記可撓性シート部材（１０）のシート係止部（２０）が、着脱可能である構成を採用することもできる。
【００１９】
また、本発明は、前記収納構造物（３０）が、ポケットまたは容器である構成を採用することもできる。
【００２０】
また、本発明は、前記、可撓性シート部材（１０）がカーテン（８９）である構成を採用することもできる。
【００２１】
また、本発明は、前記設置アイテム（１８）が案内表示物（１２０）である構成を採用することもできる。
【発明の効果】
【００２２】
本発明に係る移動式係止構造によれば、係止、保持、収納位置が自由であるという優れた効果を発揮する。
【００２３】
また、本発明に係る歯状移動式係止構造によれば、素材が可撓性を有する素材で構成されていることから、多様な物品の形状に対応して係止、保持、収納できるという優れた効果を発揮するものである。
【００２４】
また、本発明に係る歯状移動式係止構造によれば、係止、保持、収納物を、巻いてまとめて移動可能であるという優れた効果を発揮する。
【００２５】
また、本発明に係る歯状移動式係止構造によれば、壁に穴等の損傷をより少なく、且つ、汚れ無く係止、保持、収納できるという優れた効果を発揮する。
【００２６】
また、本発明に係る歯状移動式係止構造によれば、省スペースな収納が可能であるという優れた効果を発揮する。
【００２７】
また、本発明に係る歯状移動式係止構造によれば、自由度の高い案内表示の掲示が可能であるという優れた効果を発揮する。
【００２８】
また、本発明に係る歯状移動式係止構造によれば、自由度の高い収納が可能であるという優れた効果を発揮する。
【００２９】
また、本発明に係る歯状移動式係止構造によれば、素材の略すべてが可撓性を有する素材で構成されていることから、多様な物品の形状に対応して装着できるという優れた効果を発揮するものである。
【図面の簡単な説明】
【００３０】
【図１】本発明に係る基本構成を説明する構成説明図
【図２】本発明に係る実際の使用実施例説明図
【図３】本発明に係るポケットを設けた構成の例説明図
【図４】本発明に係るバリエーションの構成の例説明図
【図５】本発明に係る案内表示物係止の構成の例説明図
【図６】本発明に係る着脱テープ係止部の構成の例説明図
【図７】本発明に係るスライダーの構成の例説明図
【発明を実施するための形態】
【００３１】
本発明に係る
移動式単テープ係止構造１は、
可撓性を有するシート部材である可撓性シート部材１０に設けられて使用可能な、移動式係止構造であって、
単テープファスナー１７であり、係る単テープファスナー１７は、
エレメント７０とスライダー７１とテープ９からなるファスナーであり、係るエレメント７０は、スライダー７１が移動することによって、左右に分かれて着脱可能に分離または係合可能であり、
係るエレメント７０は、複数の歯部８がテープ９の両端部の、歯設置部５に略平行に並んで２列に設けられた構成であり、
係る２列の歯部８が、互いに対向して互い違いに係合して、着脱可能に一部または全部が係止され、
係る歯部８は、抜防止部６を備え、
係るスライダー７１は、歯挿通穴３９を備え、係る歯挿通穴３９は、係るスライダー７１の１つの開口部と該１つの開口部から係るスライダー７１内で２つに分岐した２つの開口部を備え、
係るスライダー７１は、係る抜防止部６を跨ぎ掛部７にて、跨いで設けられて、係るエレメント７０の２列の歯部８を挿通させてスライド可能に設けられ、
係る抜防止部６は、係る歯部８に跨いで設けられた、係るスライダー７１の抜け防止機能を備えた部分であり、
係る一本のテープ９の両端部に並んで２列に設けられた係るエレメント７０と、複数の係るスライダー７１を１つのセットとして構成されて、係る２列のエレメント７０が対向して、互いの係る歯部８が互い違いに嵌め合うことによって、着脱可能であり、複数のスライダー７１を備え、複数の係るスライダー７１によって、自由度が高く、係止、保持可能である構造を備えた、スペースを取らない収納に大きな効果を備えたことを最大の特徴とするものである。
【００３２】
以下、図面に基づいて本発明について説明する。但し、各図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能とする。
【００３３】
図１は、本発明に係る移動式単テープ係止構造１の基本的な構成の例を示しており、図１（a）の構成の例は、係る移動式単テープ係止構造１の構成の例、図１（ｂ）の構成の例は縦断面図の構成の例、図１（ｃ）は、係る移動式単テープ係止構造１を可撓性シート部材１０に設けられた構成の例を示している。
【００３４】
図１（a）の構成の例は、テープ９に設けられた歯部８からなるエレメント７０の構成の例であり、係るエレメント７０に、図１（ｂ）あるいは図1（ｃ）の構成の例の様に、スライダー７１が設けられる構成となる。
【００３５】
係る構成の例のエレメント７０は、テープ９の長手方向の２つの両辺に、歯部８がそれぞれの辺に一列に並んで設けられており、図面上の上側の辺には、１０本の歯部８が設けられ、図面上の下側の辺には、１１本の歯部８が設けられた構成を示された例であり、係るテープ９と歯部８は、歯設置部５において、互いに係止されて設けられている。
尚、係るテープ９の左右側には更に複数の歯部８が設けられたテープ９が省略されており、係る図に示された歯部８は、その一部を示しているものである。
【００３６】
図１（ｂ）の構成の例は、図１（a）の構成の例における１本のテープ９の両端に設けられたエレメント７０を、係るテープ９を巻いて係るテープ９の両端に設けられたエレメント７０を対向させ、スライダー７１を設けることによって互いに係合させた状態の断面図である。
係る構成とすることによって、図３の構成の例に示される様に、係るテープ９を可撓性シート部材１０に備え、係るスライダー７１に、係止部材または保持部材１９、あるいは、ポケット等の収納構造物３０を、１つのスライダー７１にて吊るしても、係るスライダー７１を移動させることによって、ファスナーが大きく開いてしまうということが無く、係るスライダー７１の位置を変更でき、係る係止部材または保持部材１９にて保持、係止される設置アイテム１８等のサイズや数に応じて、自由に係るスライダー７１の位置を調整可能であり、有用である。
スライダー７１は、係る歯部８を跨ぐ様にして係る列状の歯部８によって構成されるエレメント７０に沿ってスライド可能に設けられ、係る歯部８とテープ９の境目の凸部を抜防止部６として、係るスライダー７１の跨ぎ掛部７にて係る抜防止部６に引掛けるようにして係る歯部８から外れないように設けられている構成の例である。
【００３７】
図１（ｃ）の構成の例は、図１（ｂ）の構成の例と同等の移動式単テープ係止構造１が、可撓性シート部材１０に設けられた構成の収納ユニット２の例である。
可撓性シート部材１０に設けられた移動式単テープ係止構造１は、テープ９部にて、係る可撓性シート部材１０に係止して設けられており、係る、スライダー７１が８個設けられた構成の例であり、係るスライダー７１に、リングの保持部材１９が設けられており、最左の係止ペア１７には、係るリングに更に保持部材１９として紐状体が２本設けられている構成の例である。
移動式単テープ係止構造１として、テープ９の略端部の歯設置部５に、一列に複数の歯部８を設けてエレメント７０を構成させ、複数のスライダー７１を係るエレメント７０の端から歯部８（８）を挿通して係るスライダー７１の跨ぎ掛部７と、係る歯部８の抜防止部６にて、係るスライダー７１が係る歯部８から抜けないように設け、係る移動式単テープ係止構造１を、可撓性シート部材１０に設けて、収納ユニット２とし、係る移動式単テープ係止構造１に備えられた、単独のスライダー７１に係止部材または保持部材１９、あるいは、係止部材または保持部材１９が備えられた設置アイテム１８を備えて、係る設置アイテム１８が収納された、収納ユニット２とするものである。
【００３８】
係る構成とすることによって、係る可撓性シート部材１０にて構成された収納ユニット２が、可撓性を備えた移動式単テープ係止構造１を備えることが可能となり、また、係るスライダー７１を移動させても、例えば、ファスナーであれば開閉してしまうが、係る構成とすることによって、開閉することなく、１つのスライダー７１に保持部材１９を備えて移動することが可能となり、有用である。
【００３９】
また、本発明に示される様に、設置アイテム１８等を設置する設置部であるスライダー７１が、係る複数の歯部８を、スライドする構成とすることによって、また、テープ９を必要に応じて丈夫な生地等である構成とすることによって、柔軟で丈夫な移動係止構造となり、例えば、係る移動係止構造を、可撓性を有するシート部材である可撓性シート部材１０に、係る移動係止構造である歯状移動式係止構造１のテープ９部にて設けることによって、係る可撓性シート部材１０の柔軟性を損なわず、取り付けも比較的容易で、係るスライダー７１を自由に移動することによって、収納位置も自由に変更可能で、また、係る移動式単テープ係止構造１の長さも自由に切断可能に、係る可撓性シート部材１０に設置可能な収納ユニット２を構成することが可能で、大変有用である。
【００４０】
尚、係るテープ９部と可撓性シート部材１０との係止方法は、縫製でも良いし、溶着でも、接着でも、面ファスナーでも、ファスナーでも、ステープ９ラーでも、マグネットでも良く、その他、本発明の技術的思想の範囲内、即ち、同一の作用効果を発揮できる範囲内で限定しない。
【００４１】
係る構成によって、可撓性シート部材１０に、保持部材１９を設け、設置アイテム１８を吊設したり、係止したり、保持させることが容易になり、且つ、係る保持部材１９はその位置を自由に移動可能となり、係る設置アイテム１８のサイズ等によって、設置位置を自由に変更できるものである。
【００４２】
係る可撓性シート部材１０に、移動可能な保持部材として、一般的に壁等に用いられるレール状の保持部材を設けた場合、シートの表面に貼付することになり、係る可撓性の為比較的剥がれ易く、強度的な懸念もあり、一般的では無く、また、係るレールがリブの様な効果を持つことにより、シートの可撓性を失わせることになり、例えば使わない時は畳みたい場合などは、適切ではなく、そうした点の対策においても、本図の構成は有用である。
係る構成によって、可撓性シート部材１０において、自由に移動可能な係止構造の構成となり、有用である。
【００４３】
また、本発明に示される様に、設置アイテム１８等を設置する設置部であるスライダー７１が、係る複数の歯部８を、スライドする構成とすることによって、また、テープ９を必要に応じて丈夫な生地等である構成とすることによって、柔軟で丈夫な移動係止構造となり、例えば、係る移動係止構造を、可撓性を有するシート部材である可撓性シート部材１０に、係る移動係止構造である移動式単テープ係止構造１のテープ９部にて設けることによって、係る可撓性シート部材１０（１０）の柔軟性を損なわず、取り付けも比較的容易で、係るスライダー７１を自由に移動することによって、収納位置も自由に変更可能で、また、係る移動式単テープ係止構造１の長さも自由に切断可能に、係る可撓性シート部材１０に設置可能な収納ユニット２を構成することが可能で、大変有用である。
【００４４】
また、係る係止部材または保持部材１９は、他に、面ファスナーでも、磁石でも、クリップでも、ネジ止めでも、フックでも良く、本発明の技術的思想の範囲内、即ち、同一の作用効果を発揮できる範囲内で限定しない。
【００４５】
また、可撓性シート部材１０の設置方法は、吊り下げでも、周囲を枠体に係止でも、端部を筒状に縫製した係る筒状に棒を通してもよく、その他、その設置方法は特に限定するものではない。
エレメント７０を構成する歯部８は、真鍮や鉄等の金属でも良いし、ポリアミドやポリエステル等の樹脂でも、木でも、カーボンでも、陶磁器でもよく、形状も、中空でも良いし中空でなくても良いし、コイル状でも良く、その他、本発明の技術的思想の範囲内、即ち、同一の作用効果を発揮できる範囲内で限定しない。
【００４６】
エレメント７０を構成するテープ９は、ポリエステルやポリアミドの樹脂でも良いし、綿や麻の自然素材の生地でも良いし、ガラスクロスでも、カーボンクロスでも良く、その他、本発明の技術的思想の範囲内、即ち、同一の作用効果を発揮できる範囲内で限定しない。
また、係るテープ９と歯部８の歯設置部５における係止方法は、融着でも良いし、挟持でも、係るテープ９に、溶融した樹脂を型材にて成形して設けても良いし、縫製でも良く、その他、本発明の技術的思想の範囲内、即ち、同一の作用効果を発揮できる範囲内で限定しない。
【００４７】
また、係るエレメント７０は、一般に衣服等に使用されている金属製又は樹脂製の開閉部材として用いられているものを利用しても良く、特に種類や構造等について限定されるものではない。
【００４８】
抜防止部６は、図１（ｂ）の構成の例においては、歯部８がテープ９と係止されている歯部８の端部を凸部として、係るスライダー７１がエレメント７０から抜けるのを防止する構成となっているが、歯部８自体に凹凸部を備えて、係る凹凸部に跨ぎ掛部７が引っ掛かることによって抜け防止とする構成としても良く、その他、本発明の技術的思想の範囲内、即ち、同一の作用効果を発揮できる範囲内で限定しない。
【００４９】
スライダー７１は、鉄や真鍮等の金属でも良いし、ポリアミドやポリアセタール等の樹脂でも良いし、陶磁器でも、カーボンでも、木でも良く、その他、本発明の技術的思想の範囲内、即ち、同一の作用効果を発揮できる範囲内で限定しない。
また、図面には示されていないが、スライダー７１には、係るスライダー７１が必要に応じてスライドするのを止める為のストッパーを備えたロック機構を備えた構成としても良く、係るロック機構によって設置アイテム１８を係るスライダー７１に設けた際に、勝手に係るスライダー７１がスライドして動いてしまわず、有用であり、また、係るスライダー７１に備えられたつまみ５９が起きた時、つまり、例えば、係るつまみが、スライダーに対して略直角になった際に、係るつまみ５９と連動して動くストッパーが歯部８の間に引っかかって、係るロック機構が機能する構成とすることによって、係る設置アイテム１８が設けられたスライダー７１が移動し難く、有用である。
【００５０】
図1（ｃ）の収納ユニット２の製造方法は、まず移動式単テープ係止構造１を形成させ、係る移動式単テープ係止構造１は、単テープファスナー１７であり、係る単テープファスナー１７は、
エレメント７０とスライダー７１とテープ９からなるファスナーであり、係るエレメント７０は、スライダー７１が移動することによって、左右に分かれて着脱可能に分離または係合可能であり、係るテープ９は、一体的に１つであり、
係るエレメント７０に、複数の歯部８を１つの係るテープ９の両端部の、歯設置部５に略平行に並んで２列に設け、
複数の係るスライダー７１を順番に係る２列の歯部８を挿入させることによって、係る２列の歯部８が、互いに対向して互い違いに係合して、着脱可能に一部または全部を係止させ、
係る歯部８は、抜防止部６を備え、
係るスライダー７１は、歯挿通穴３９を備え、係る歯挿通穴３９は、係るスライダー７１の１つの開口部と該１つの開口部から係るスライダー７１内で２つに分岐した２つの開口部を備え、
係るスライダー７１は、係る抜防止部６を跨ぎ掛部７にて抜けないように、係るエレメント７０の２列の歯部８を挿通させてスライド可能に設け、
係る抜防止部６は、係る歯部８に跨いで設けられた、係るスライダー７１の抜け防止機能を備えた部分であり、
係るテープ９の両端部に並んで２列に設けられた係るエレメント７０と、複数の係るスライダー７１を１つの移動式単テープ係止構造１のセットとして構成させて、
可撓性を有するシート部材である可撓性シート部材１０に、係る移動式単テープ係止構造１を設け、
様々な設置アイテム１８を係る移動式単テープ係止構造１に備えられた係るスライダー７１単独ででも、保持可能とさせることを可能にすることができるようにするものである。
【００５１】
また、係る単テープファスナー１７の製造方法を、以下のような方法としても良く、複数の歯部８をテープ９の端部に並んで１列に設けて、一列歯テープ４３を構成し、係る一列歯テープ４３を２つ、係る歯部８にて対向させて、係るスライダー７１を複数、順番に、係る対向した歯部８に挿入させて、係る２つのエレメント７０の一部または全部の歯部８を係合させ、係る２つのテープ９を互いに係止して、係る単テープファスナー１７を構成し、係る一列歯テープ４３が、歯設置部５と反対側の端部側である無歯端部４４側にて互いに係止させることによって、係る単テープファスナー１７を製造しても良い。
【００５２】
また、収納ユニット２の他の製造方法として、
移動式単テープ係止構造１は、単テープファスナー１７であり、前記単テープファスナー１７は、
エレメント７０とスライダー７１とテープ９からなるファスナーであり、前記エレメント７０は、スライダー７１が移動することによって、左右に分かれて着脱可能に分離または係合可能であり、
前記エレメント７０は、複数の歯部８をテープ９の端部に並んで１列に設けて、一列歯テープ４３を構成し、前記一列歯テープ４３を２つ、前記歯部８にて対向させて、前記スライダー７１を複数、順番に、前記対向した歯部８に挿入させて、前記２つのエレメント７０の一部または全部の歯部８を係合させ、
係る歯部８は、抜防止部６を備え、
係るスライダー７１は、歯挿通穴３９を備え、係る歯挿通穴３９は、係るスライダー７１の１つの開口部と該１つの開口部から係るスライダー７１内で２つに分岐した２つの開口部を備え、
係るスライダー７１は、係る抜防止部６を跨ぎ掛部７にて抜けないように、係るエレメント７０の２列の歯部８を挿通させてスライド可能に設け、
係る抜防止部６は、係る歯部８に跨いで設けられた、係るスライダー７１の抜け防止機能を備えた部分であり、
一列歯テープ４３に備えられた２つのテープ９を、
可撓性を有するシート部材である可撓性シート部材１０に合わせて係止することによって、
係る２つのテープ９を互いに係止して、係るテープ９を一体的に１つとさせ、
係る可撓性シート部材１０に設けられた係る単テープファスナー１７を構成して、
様々な設置アイテム１８を係る移動式単テープ係止構造１に備えられた係るスライダー７１が単独にて保持可能とさせる製造方法としても良い。
【００５３】
また、係る収納ユニット２の製造方法において、収納ユニット２を構成する部材を設ける順番は、その他、必要に応じて変更可能であるものとする。
【００５４】
図２は、本発明に係る移動式単テープ係止構造１の実施の構成の例を示しており、可撓性シート部材１０に、係る可撓性シート部材１０を設置する為のシート設置具２９が１３個最上部に設けられている。
係る可撓性シート面には２段のエレメント７０が設けられており、それぞれのエレメント７０に、複数のスライダー７１が設けられており、それぞれのスライダー７１に、係止部材または保持部材１９を設けており、最上段のエレメント７０には、リング状の係止部材または保持部材１９が設けられており、何かを吊設して収納する等の使用が可能であり、更に、収納構造物３０である二つのポケットが係るスライダー７１に設けられており、係るポケットに収納可能な構成となっている。
【００５５】
２段目には、スライダー７１に設けられたリング状の係止部材または保持部材１９の１つに、設置アイテム１８として、箒が保持されており、その他のリング状の係止部材または保持部材１９にも、図面には示されていないが、例えば、帽子や衣類、タオル、ホワイトボード等、様々な設置アイテム１８を引掛けたり、保持して、係る可撓性シート部材１０を収納ユニット２とすることが可能となり、有用である。
【００５６】
尚、図２においては、エレメント７０は２段に設けられているが、３段でもそれ以上の構成でも良いし、水平方向に設けても、斜め方向に設けても、波状に設けても良く、限定しない。
【００５７】
尚、係るポケットは、容器でもよく、その他収納する収納構造物３０であれば、その形態は綿や麻等その他天然繊維や、ナイロンやポリエステルやビニール等樹脂系やその他素材のシートによる袋状でも、樹脂や金属や木等その他素材の硬質系の容器でも良く、その他、本発明の技術的思想の範囲内、即ち、同一の作用効果を発揮できる範囲内で限定しない。
【００５８】
その他、例えば、スキーを立てかけたり、壁に直接複数の保持部材１９を設けることができない場合や、設置アイテム１８や壁を傷つけたり汚したくない時や、立てかけて保持しているものを、そのまま、まとめて巻いてどこかに持っていくこともできる。また、保持したい設置アイテム１８の保管位置に応じて、係止ペア１７を移動して保持でき、有用である。
なお、係る可撓性シート部材１０は、カーテン89としても良く、係る構成によって、カーテン89の好きな場所に、好きなサイズのポケット等の収納構造物３０や、係止部材または保持部材１９を設けることが可能な構成となり、例えば係る保持部材１９をフックにして、帽子をかけても良いし、病院のベッドを囲うカーテン89等でも、狭い場所で作業をしたり、収納スペースとしても、係る係止部材または保持部材１９の活用が可能となり、その有用性の幅は広い。
【００５９】
尚、係るシート設置具２９の形態は、カーテン89を吊るす構成であれば、その他どのような形態でもよく、本発明の技術的思想の範囲内、即ち、同一の作用効果を発揮できる範囲内で限定せず、材質も同様に、ポリプロピレン、ナイロン、ポリカーボネート等の樹脂、紐状体、鉄、真鍮等の金属、その他、限定せず、必要な強度を満足していることが必要である。
また、カーテン89の素材、色、サイズ、形状も、可撓性シート部材１０同様に限定しない。
【００６０】
また、係る可撓性シート部材１０を、巻いて留めることが可能な構成とすることによって、係る収納ユニット２を、必要のない時は小さくまとめて保管できるし、係る設置アイテム１８をまとめて巻いた状態運んだり、保管することも可能であり、有用である。
【００６１】
図３は、移動式単テープ係止構造１を係る可撓性シート部材１０に設けた構成の例の断面図である。
図３の構成の例は、図１（ｂ）の構成の例と同等の単テープファスナー１７が、可撓性シート部材１０にシート係止部２０にて係止された構成の例である。  
【００６２】
係る移動式単テープ係止構造１は、
テープ９の両端に設けられた略平行な２列の歯部８が、スライダー７１によって互いに係合した構成の例であり、
係る移動式単テープ係止構造１のテープ９部において可撓性シート部材１０に係止して設けられており、係るエレメント７０に、スライダー７１が設けられ、係るスライダー７１に、収納構造物３０であるポケットが吊設された収納ユニット２の構成の例である。
係る構成とすることによって、係るスライダー７１に設けられたポケットの位置を移動しても、係るファスナーが大きく開くことなく、係るスライダー７１を移動可能であるので、有用である。
尚、係る図３の図面において、九十九折線で示された部分が、シート係止部２０であり、シート係止部２０は、可撓性シート部材１０同士、または可撓性シート部材１０とテープ９、またはテープ９同士を、互いに係止する構成の部分であり、
シート係止部２０は、図面に表記していないものも、必要に応じて、必要な個所に設ける構成が可能であり、また、それぞれのシート係止部２０の係止方法は、接着、融着、縫製、結束、ピン止め、ボタン止め、面ファスナー止め、磁石、ステープ９ラー等、本発明と同一の作用効果を発揮できる範囲内でその係止手段を限定しない。
また、シート係止部２０は、着脱可能に係止してもよく、着脱可能な係止手段は、ホック、ボタン、面ファスナー、フック、磁石、紐、ファスナー等、本発明と同一の作用効果を発揮できる範囲内でその係止手段を限定せず、また、係るテープ９を着脱可能な構成とすることにより、必要に応じて可撓性シート部材１０やテープ９を自由に着脱可能に係止可能となり、特に、係るテープ９を着脱可能なシート係止部２０とすることは、必要に応じてサイズや材質やデザインを選択可能となり、有用である。
【００６３】
また、図3の構成の例においては、移動式単テープ係止構造１のスライダー７１が丸見えであり、外観的に好ましくないようであれば、図面には示されていないが、係る可撓性シート部材１０をプリーツ加工して係る移動式単テープ係止構造１を覆う様に、設けても良いし、また、可撓性シート部材１０と同等の模様の可撓性シート１０を、係る移動式単テープ係止構造１を覆う様に、設けた構成とすることによって、外観的にも見映えが良くなり、有用である。
【００６４】
図４は、テープ９のバリエーションの構成の例を示した説明図であり、それぞれ、単テープファスナー１７を構成するテープ９のバリエーションの構成を示した説明図である。
【００６５】
図４（ａ）は、図１（a）の構成の例における一体的に１つのテープ９を構成する例である。
係るテープ９は、２つのテープ９の長手方向にて互いに係止されて１つのテープ９を構成し、係る１つのテープ９の両端部の歯設置部５に、歯部８を備えたテープ９の構成の例であり、係るテープ９を図１（a）と図１（ｂ）の構成の例と同様に、スライダー７１を設けることによって、テープ９が一体的に１つの単テープファスナー１７を構成する構成の例である。
係る一体的に１つのテープ９を構成する２つのぞれぞれのテープ９は一列歯テープ４３であり、係る一列歯テープ４３は、１つの長手方向の辺に歯部８を備え、係る歯部８を備えていない側の長手方向の辺を、無歯端部４４側の辺とし、係るそれぞれの一列歯テープ４３が、略同一の面を形成するようにして係る無歯端部４４側の辺から係るテープ９の面の一部を重ね合わせて、シート係止部２０において互いに係止した構成の例である。
係る構成によって、より一般的なファスナーのテープ９を流用して単テープファスナー１７を構成することが可能となるので、係る単テープファスナー１７を、より低いコストで、また、より多くのバリエーションの単テープファスナー１７を構成することが可能で、有用である。
【００６６】
図４（ｂ）の構成の例の移動式単テープ係止構造１である単テープファスナー１７の構成の例は、図４（a）の構成の例における単テープファスナー１７の構成の例が、それぞれの一列歯テープ４３が、略同一の面を形成するようにして係るテープ９の面の一部を重ね合わせた構成であるのに対して、図４（ｂ）の構成の例の単テープファスナー１７は、図４（ｂ）の構成の例において、スライダー７１が設けられた側のテープ９の面を、表地面４６、スライダー７１が設けられていない側の面を、裏地面４５として、裏地面４５同士を向かい合わせて係止した構成の例である。
係る裏地面４５同士で向かい合わせて係るテープ９を係止することによって、係る単テープファスナー１７を可撓性シート部材１０と係止して収納ユニット２を構成する際に、互いに係止される係る一列歯テープ４３の幅を略同等な構成としておくことによって、係る無歯端部４４を揃えて係止した構成の係る単テープファスナー１７を可撓性シート部材１０に係止した際に、歯部８の位置が、係る単テープファスナー１７の略中心に位置が決まり、係止の加工がし易く、つまり、早く、品質の良い係止が可能となり、大変有用な構成である。
また、係る一列歯テープ４３が、互いに着脱可能である構成としても良い。
【００６７】
図４（ｃ）の構成の例は、係るテープ９にテープ橋架部材４２を備えた構成の例である。
係るテープ橋架部材４２は、図４（ａ）の構成の例の２つのテープ９の対向した無歯端部４４側の辺の間にシート係止部２０にて係止して設けられている構成の例である。
係る構成によって、必要に応じて、係る単テープファスナー１７の幅を広くすることが可能であるし、例えば、係るテープ橋架部材４２をアイロン等で融着可能な、熱融着シートとすることによって、より、容易に、また、係る２つの互いの無歯端部４４側の辺をより真っ直ぐ、平行に、綺麗に構成し易い構成であり、有用である。
【００６８】
係るテープ橋架部材４２は、熱融着シートでも良いし、熱接着シートでも良いし、その他素材の生地、例えば、綿でも、麻でも、絹でも、カーボン繊維、ガラス繊維、あるいは、ポリアミドやポリエステル、ポリエチレンテレフタート等の化学繊維の生地でも良く、また、面ファスナーとしても良く、その他、本発明の技術的思想の範囲内、即ち、同一の作用効果を発揮できる範囲内で限定しない。
【００６９】
図４（ｄ）の構成の収納ユニット２は、図４（ｂ）と同様に一列歯テープ４３の裏地面４５同士を向かい合わせて係止した構成の単テープファスナー１７が、可撓性シート部材１０に係止された構成の例である。
【００７０】
係る構成は、図４（ｂ）の構成の例の単テープファスナー１７の様に、予め一列歯テープ４３の裏地面４５同士を向かい合わせて係止した構成の単テープファスナー１７を、係る可撓性シート部材１０に係止する方法で収納ユニット２を構成しても良いし、係る一列歯テープ４３の裏地面４５同士を向かい合わせて、係る可撓性シート部材１０に配置させてから、係る可撓性シート部材１０と裏地面４５同士を向かい合わせた状態の係る一列歯テープ４３を合わせて、まとめてシート係止部２０にて係止する方法で収納ユニット２を構成しても良い。
【００７１】
係る、予め一列歯テープ４３の裏地面４５同士を向かい合わせて係止した構成の単テープファスナー１７を、可撓性シート部材１０に設けて収納ユニット２を構成する方法とした方が、係る係止する際の加工は容易で、より早く、綺麗に仕上げ易く、有用な点があり、一方、係る係る可撓性シート部材１０と裏地面４５同士を向かい合わせた状態の係る一列歯テープ４３を合わせて、まとめてシート係止部２０にて係止する方法は、係る一列歯テープ４３の重ね合わせ量を必要時応じて調整することによって、係るつまみ５９の方向を、調整可能であり、自由度が高いという点で、有用な点がある。
【００７２】
図５は、本発明に係る設置アイテム１８が案内表示物120である構成の説明図であり、可撓性シート部材１０に設けられた水平方向の２本のエレメント７０にそれぞれ複数のスライダー７１が設けられており、係る上下４つスライダー７１に、２枚の案内表示物120が係止部材または保持部材１９を介して設けられている構成の例である。
【００７３】
係る構成の例の様に、２枚の案内表示物120はそれぞれ違うサイズであるが、係る構成の様に、様々なサイズの案内表示物120に合わせて係止部材または保持部材１９の位置を変更することによって、テント生地や帆布等の店頭前や特設イベント会場の特設テントなど、スペースの無いところ、期間限定で撤去する予定の会場等で、場所とコストを取らず、様々なサイズや数の案内表示の自由度が広がり、有用である。
【００７４】
図６は、本発明に係る移動式単テープ係止構造１の、テープ９が、着脱可能な着脱テープ係止部６９を備えた構成の例である。
【００７５】
図６（a）の構成の例における移動式単テープ係止構造１においては、３つのスライダー７１がリング状の係止部材または保持部材１９を備えてエレメント７０に設けられており、係る移動式単テープ係止構造１のテープ９に、３つの逆U字状に設けられた紐状の着脱テープ係止部６９に設けられた構成の例であり、係る着脱テープ係止部６９にて、係止して係る移動式単テープ係止構造１を設けることが可能となり、係るスライドして移動可能なスライダー７１によって、スライドして移動可能な移動式単テープ係止構造１を構成する例である。
係る構成とすることによって、より、自由度が高く係る移動式単テープ係止構造１を設置してスペースを取らず、収容物によって、自由にスライドして移動可能な収納部を構成することが可能で、有用である。
【００７６】
図６（ｂ）の構成の例における収納ユニット２は、図６（a）の構成の例における移動式単テープ係止構造１を可撓性シート部材１０に設けた構成の例であり、係る移動式単テープ係止構造１のテープ９に設けられた３つの逆U字状の着脱テープ係止部６９を備え、係る着脱テープ係止部６９にて、係る移動式単テープ係止構造１が可撓性シート部材１０に設けられ、係る移動式単テープ係止構造１には、１つあたりの移動式単テープ係止構造１には、８つのスライダー７１と係るスライダー７１に設けられ、係る移動式単テープ係止構造１が、３段可撓性シート部材１０に設けられた構成の例である。
【００７７】
また、係る１番上の移動式単テープ係止構造１には、左から２番目のスライダー７１には設置アイテム１８としてホワイトボードが設けられており、また、右から３番目のスライダー７１には、帽子が設けられており、係る上から２番目の移動式単テープ係止構造１には、右から４番目のスライダー７１に、設置アイテム１８としてバッグが設けられている構成の例となっている。
尚、係る移動式単テープ係止構造１においては、係る着脱テープ係止部６９が、１つの移動式単テープ係止構造１あたり、３つである構成であるので、設置アイテム１８の重量によって、一番その側の着脱テープ係止部６９によって可撓性シート部材１０が内側に引っ張られるので、係る可撓性シート部材１０の左右にもシート設置具２９を設け、係る可撓性シート部材１０が内側に引っ張られるのを抑えた構成の例である。
【００７８】
係る着脱テープ係止部６９は、係る構成の例の様に３か所の着脱テープ係止部６９だと内側に引っ張られ易い構成となるので、係る着脱テープ係止部６９の数は、多い方が望ましく、また、例えば、係るテープ９部全面にて着脱可能に係止可能な、面ファスナーとする構成とすることによって、係る設置アイテム１８の重量が、真っ直ぐ上にもかかり、真っ直ぐ上の可撓性シート部材１０とシート設置具２９でも係る設置アイテム１８の重量を受けることとなるので、係る可撓性シート部材１０が内側に引っ張られる力が分散され、有用である。
【００７９】
係る着脱可能な着脱テープ係止部６９は、紐状でも、面ファスナーでも、その他、ホック、ボタン、フック、磁石、ファスナー等、本発明と同一の作用効果を発揮できる範囲内でその係止手段を限定せず、また、係るテープ９を着脱可能な構成とすることにより、必要に応じて可撓性シート部材１０やテープ９を自由に着脱可能に係止可能となり、特に、係るテープ９を着脱可能なシート係止部２０とすることは、必要に応じてサイズや材質やデザインを選択可能となり、有用である。
【００８０】
また、係る着脱テープ係止部６９は、移動式単テープ係止構造１のスライダー７１に、収納物でもある設置アイテム18の重量に耐えられるだけの強度を満足している構成とすることが望ましく、その為に、係るテープ９の強度を備えるか、あるいは、図面には示されていないが、係るテープ９に補強布等の補強材を備える構成とすることが望ましい。
【００８１】
図７の構成の例は、スライダー７１に挿通されたエレメント７０を、係るスライダー７１を横に切った横断面図によって説明する図である。
【００８２】
係るスライダー７１は、歯挿通穴３９に複数の歯部８から構成されるエレメント７０が挿通され、係る歯挿通穴３９は、１つのスライダー７１の開口部から、係るスライダー７１の内部で２つに分岐して、２つの開口部を備え、係る１つの開口穴部においては、係るエレメント７０は、対向する２本のエレメント７０が、互いに係合しており、歯挿通穴３９が、２つに分岐した部分で、係る係合された２つのエレメント７０が、２つに分離することにより、係る２本のエレメント７０が、開閉される構成を示しており、係るスライダー７１は、一般的なファスナーのスライダー７１と同等の構成である。
【００８３】
尚、上記一連の本図内容において、可撓性シート部材１０は、可撓性を有する略シートであればその素材を特に限定するものではなく、例えば、ポリエステルやナイロンなどの合成樹脂、ビニール、ゴム、ガラス繊維、綿や麻の天然素材でもよく、その色についても透明であっても不透明であっても蛍光色でも特に限定せず、また厚さやサイズについても特に限定するものではない。使用場所や想定される係止、保持、収納物によっては、耐水性や強度に優れた素材が望ましい。
係るポケットはその他形態の容器でもよく、係る収納構造物３０の形態は本発明の技術的思想の範囲内、即ち、同一の作用効果を発揮できる範囲内で限定しない。
【００８４】
また、係るシート設置具２９の形態は、係るシート部材を設置する形態であればよく、その他、穴でも、紐でも、ワイヤーでも、棒でも良く、その形態は本発明の技術的思想の範囲内、即ち、同一の作用効果を発揮できる範囲内で限定しない。
【００８５】
また、係る係止部材または保持部材１９は、様々な設置アイテム１８に合わせた形態、構造で良く、紐、面ファスナー、ボルトナット、磁石、リング、フック、筒状部材、針金、鎖、粘着テープ９、ゴム、棒、ベルト等、その他その形態を本発明の技術的思想の範囲内、即ち、同一の作用効果を発揮できる範囲内で限定しない。
【００８６】
また、それぞれの図において、本発明の説明は、可撓性シート部材１０の片面だけに歯部８移動式係止構造が備えられた構成であるが、両面に設けても良い。
【００８７】
設置アイテム１８は、係止部材または保持部材１９を介して係るスライダー７１に設置されるアイテムであり、例えばポケットや、袋、籠、網等の収納構造物３０でも良いし、収納あるいは保持される収納物である、例えば、帽子や衣類、タオル、ホワイトボード等の物品でもよく、その他、本発明の技術的思想の範囲内、即ち、同一の作用効果を発揮できる範囲内で限定しない。
【００８８】
また、本願発明に係る収納ユニット２あるいは移動式単テープ係止構造１は、壁に設ける構成としても良いし、天井に設ける構成としても良い。 特に、係る収納ユニット２あるいは移動式単テープ係止構造１を、天井に設けることによって、容易に天井を収納スペースを備えることが可能となり、また、壁に係る収納ユニット２あるいは移動式単テープ係止構造１１によって構成される設置アイテム１８を設けることによって、例えば、壁の１平方メートルあたりに収納可能なバッグ等の設置アイテム１８と比較して、天井から吊設して収納可能なバッグ等の設置アイテム１８の方が、多く収納可能で、有用な構成である。
【産業上の利用可能性】
【００８９】
本発明は、壁への穴等、損傷や汚れを抑制し、簡単で、自由度が高い係止、保持、収納が可能とすることで、スペースを取らない収納、保管、自由度の高い案内表示の掲示を可能にすることなど、応用、活用の範囲が広く、利用できる魅力的な発明品となり、産業上利用可能性は極めて高いと思慮されるものである。
【符号の説明】
【００９０】
１    移動式単テープ係止構造
２    収納ユニット
５    歯設置部
６    抜防止部
７    跨ぎ掛部
８    歯部
９    テープ
１０  可撓性シート部材
１７  単テープファスナー
１８  設置アイテム
１９  係止部材または保持部材
２０  シート係止部
２９  シート設置具
３０  収納構造物（ポケット、容器類）
３９  歯挿通穴
４２  テープ橋架部材
４３  一列歯テープ
４４  無歯端部
４５  裏地面
４６  表地面
５９  つまみ
６９  着脱テープ係止部
７０  エレメント
７１  スライダー
８９  カーテン
１２０  案内表示物
【要約】      （修正有）【課題】係止、保持、収納位置、数量、サイズを自由に調整でき、壁への穴等の損傷や汚れを最小限にすることが可能な自由度の高い係止、保持、収納構造物を提供する。【解決手段】エレメント７０とスライダー７１とテープ９からなるファスナーの、エレメントは、スライダーが移動することによって、左右に分かれて着脱可能に分離または係合可能であり、テープは、一体的に１つであり、エレメントに、複数の歯部８を１つのテープの両端部の、歯設置部５に略平行に並んで２列に設け、複数のスライダーを順番に２列の歯部を挿入させることによって、２列の歯部が互い違いに係合して、着脱可能に一部または全部を係止させ、テープの両端部に並んで２列に設けられたエレメントと、複数の前記スライダーを１つの移動式単テープ係止構造のセットとして構成させて、可撓性を有するシート部材である可撓性シート部材１０に、前記移動式単テープ係止構造１を設けた。【選択図】図１【図１】
0006667889.tif 000002
【図２】
0006667889.tif 000003
【図３】
0006667889.tif 000004
【図４】
0006667889.tif 000005
【図５】
0006667889.tif 000006
【図６】
0006667889.tif 000007
【図７】
0006667889.tif 000008